(57)【特許請求の範囲】
【請求項１】
基礎構造（１４）、
第一横断軸（２２）の周囲で基礎構造（１４）に装着されたシート支持構造（１８）、
第一横断軸（２２）に平行な第二横断軸（２４）の周囲で基礎構造（１４）に装着された背もたれ支持構造（２０）であって、成形金属バーから形成されたフレーム（３４）を含む背もたれ支持構造（２０）、
シート（１２）および背もたれ（１６）の斜傾移動を同期できる接合手段（４８）であって、前記第二横断軸（２４）に大略直交する軸を有する前記フレーム（３４）の一部に取付けられた接合手段（４８）、
シート（１２）および背もたれ（１６）を前方傾斜位置に向かって押圧する特性を持ち、シート（１２）および背もたれ（１６）の後方傾斜に対抗する特性を持つ弾性的手段（３２）、
シート（１２）および背もたれ（１６）の前方斜傾動程を正規着座位置または前方傾斜位置に選択的に停止する手段（５４、６８’）、および
シート（１２）および背もたれ（１６）を少なくとも一つの作動状態に固定する手段（５６、６８”）を有する、同期的仕方で斜傾するシート（１２）および背もたれ（１６）を備えた椅子であって、
前記第二横断軸（２４）を有する前記フレーム（３４）の一部に取付けられた一対の斜傾停止部材（５４，５６）であって、第二横断軸（２４）に平行な方向に互いに独立して非作動位置と作動位置間で滑動できる、基礎構造（１４）によって支えられた対応する固定部材（６８’、６８”）と共に作用する一対の斜傾停止部材（５４、５６）を有することを特徴とする同期的仕方で斜傾するシートおよび背もたれを備えた椅子。
【請求項２】
前記一対の斜傾停止部材（５４，５６）の第一の斜傾停止部材（５４）は、基礎構造（１４）に取付けられた、シート（１２）および背もたれ（１６）の前方傾斜位置および最大後方傾斜位置をそれぞれ規定する一対の終端部材（１０２、１０４）と共に作用し、第一固定部材（６８’）は、シート（１２）および背もたれ（１６）の正規着座位置に対応する動程終端位置を規定するために前記第一の斜傾停止部材（５４）と共に作用することを特徴とする請求項１に記載の椅子。
【請求項３】
前記一対の斜傾停止部材（５４，５６）の第二の斜傾停止部材（５６）は、第二の斜傾停止部材（５６）の前記第二横断軸（２４）から同一距離に位置する複数の孔（６０）を持ち、該孔（６０）は円弧経路に沿って移動するような方法で位置しており、第二固定部材（６８”）が前記孔（６０）の一つと係合するように配置されていることを特徴とする請求項１に記載の椅子。
【請求項４】
固定部材（６８’、６８”）が、対応する斜傾停止部材（５４、５６）と相互に係合しない作動位置と、固定部材（６８’、６８”）が、対応する斜傾停止部材（５４、５６）と係合する位置に弾性的にそれらが押圧される作動位置間で、対応する固定部材（６８’、６８”）を移動することができる、手動操作の可能な一対の制御デバイス（７０’、７０”）を有することを特徴とする請求項１に記載の椅子。
【請求項５】
各制御デバイス（７０’、７０”）は、二つの作動位置間で移動できる斜傾本体（７８）、および該斜傾本体（７８）の角度的位置に従って関連する固定部材（６８’、６８”）を作動位置および非作動位置間で移動させることができる弾性的手段（９０）を有することを特徴とする請求項４に記載の椅子。
【請求項６】
上記弾性的手段（３２）は、シート支持構造（１８）の前記第一横断軸（２２）に平行に伸長するトーションバー（３２）を有することを特徴とする請求項１に記載の椅子。
【発明の詳細な説明】
【０００１】
本発明は、同期した仕方で斜傾するシートおよび背もたれを備えた椅子に関する。
【０００２】
より詳細には、本発明は主たる特許請求項の前文に記述された形式の椅子に関し、そこでシートおよび背もたれの前方斜傾動程を正規位置および前方傾斜位置に選択的に停止する手段、および少なくとも一つの作動操作でシートおよび背もたれを基礎構造に固定する手段が設けられている。
【０００３】
本発明の目的は、上記停止および固定手段が特に単純、小型および経済的構造を持つ、上に特定した形式の斜傾するシートおよび背もたれを備えた椅子を提供することである。
【０００４】
本発明によれば、この目的は請求項の主題を構成する特徴を持つ椅子によって達成される。
【０００５】
本発明は、限定的でない単に例示の手段として提供された添付図面を参照して以下に詳細に記述される。
【０００６】
図１は、その上部に基礎構造１４を支える、高さに対して調節可能な（それ自身既知の形式の）中央支持体１１が設けられた椅子１０を図示する。椅子１０は、対応する横断軸の周囲に基礎構造１４に装着されたシート１２および背もたれ１６を含む。
【０００７】
図３を参照して、シート１２および背もたれ１６は、互いに平行でかつ図３の図面の平面に対して直角である、対応する軸２２、２４の周囲に基礎構造１４に装着されている対応支持構造１８、２０によって支持される。
【０００８】
図２を参照して、その構造面から見て、シート支持構造１８は互いに平行でかつ後部プレート２８によって一緒に接続されている一対の縦側部材２６を含む。二つの管状部材３０は縦部材２６に取付けられ、および斜傾軸２２と同軸に伸長する。同一出願人による同様の特許出願に詳細に記述されているように、図４から７において３２により示されるトーションバーは、シート支持構造１８および基礎構造１４間に斜傾軸２２を含む。トーションバー３２の横端部はシート支持構造１８に取付けられ、一方トーションバー３２の中央部分は基礎構造１４によって支えられた調節デバイス（図示せず）と共に作用する。上記の同様の特許出願に詳細に記述されているように、トーションバー３２はシート支持構造１８の後方斜傾移動に対抗し、およびこの調節デバイスは使用者にシートの後方斜傾移動に対抗する弾性力を変化させる。
【０００９】
図２から８を参照し、背もたれ支持構造２０は、一つの横断セクション３６および二つの縦セクション３８を規定する一つ以上の成形金属バーから形成されたフレーム３４を含む。フレーム３４の後端部に、そこに背もたれが取付けられるように意図されているＬ字型支持４２が取付けられたプレート４０が取付けられている。図８を参照して、基礎構造１４はフレーム３４の横断セクション３６がその上にピボット方式で装備される一対の支持体４４を含む。従って横断セクション３６は背もたれ支持構造２０に対するピボット軸２４を規定する。横断セクション３６はブッシュ４６によって基礎構造１４の支持体４４上に回転可能に装備される。
【００１０】
再度図８を参照して、フレーム３４の縦セクション３８は、二対の接続部材４８によってシート支持構造に接続される。図９を参照して、接続部材４８の各対はフレーム３４の対応縦セクション３８に溶接されたピン５０に取付けられる。接続部材４８の上端部はピン５２によって対応縦側部材２６に装着されている。接続部材４８はシートおよび背もたれの斜傾移動を同期させる接合手段を含む。実際、シート支持構造１８および背もたれ支持構造２０は対応する軸２２、２４の周囲に独立して回転する自由度はない。接続部材４８は、シートおよび背もたれに互いに相関する斜傾移動を実施するように強制するリンクを構成する。
【００１１】
再度図８を参照して、一対の停止部材５４、５６が背もたれ支持構造の横断セクション３６に取付けられる。従ってシートおよび背もたれの同期斜傾移動が停止部材５４、５６を横断軸２４の周囲に回転させる。代案として、停止部材５４、５６はシート支持構造に取付けることができる。第一停止部材５４は実質的にレバー形状であり、その自由端部で変形可能な材料のプラグ５８を支える。第二停止部材５６は、角度的に離れて配置されおよび総てピボット軸２４から等距離に位置する複数の孔６０が設けられた、扇形セクターの形状を持つプレートを含む。
【００１２】
再度図８を参照して、基礎構造１４は、それを通して二つの固定部材５４、５６が移動できる縦チャンネル６４を規定する部分６２を持つ。チャンネル６４は逆Ｕ字型の横断断面を持つ一対の部材６６によって横方向に境界を設けられる。二つの固定ピン６８’、６８”が停止部材５４、５６の斜傾軸２４に平行な方向に滑動できるような仕方でＵ字型部材６６によって支持される。固定ピン６８’、６８”は逆Ｕ字型横断断面の部材６６内部に挿入された、対応する制御デバイス７０’、７０”と関連する。
【００１３】
図１０、１１および１２を参照して、各固定ピン６８’、６８”は、それが逆Ｕ字型の横断断面の部材６６に取付けられた円筒ガイド７２内部で、それ自身の縦軸の方向に滑動できるように装備される。各固定ピン６８’、６８”は、ピンがその中を滑動する方向に伸長するスロットを通して円筒ガイド７２を超えて突出する小さな放射状アーム７４を持つ。各制御デバイス７０’、７０”は、固定ピン６８’、６８”の近傍で対応する逆Ｕ字型部材内部に取付けられる樹脂材料７６の外装を含む。デバイス７０は囲い７６内部に、その中で固定ピン６８が滑動する方向に平行な軸８０の周囲に、回転可能に装備された斜傾本体７８を含む。斜傾本体７８は、使用者によって手動操作可能な操作レバー８４（図３および８）の端部がその内部に挿入されおよび固定される孔８２を持つ。斜傾本体７８は、その端部が囲い７６によって支持される弾性ブレード８８と共に作用するアーム８６を持つ。ブレード８８は斜傾本体７８の二つの安定位置を規定するような形状を持つ。レバー８４を操作することにより斜傾本体７８は二つの安定位置の一方からブレード８８によって提供される僅かな弾性抵抗に打ち勝って他方へ転位させられる。
【００１４】
各制御デバイス７０はピン９２の周囲に回転可能に装備されたブローチスプリング９０が設けられており、ブローチスプリング９０は斜傾本体７８の回転軸８０に対して直角に伸長する囲い７６中に組み込まれている。ブローチスプリング９０はアーム８６の端部に設けられた孔９６と係合する第一アーム９４、およびその中で固定ピン６８のアーム７４が係合されるU字型に湾曲された端部１００を持つ第二アームを持つ。制御デバイス７０の第一作動位置において、ブローチスプリング９０は、ピンが倒置U字型部材７６の外側に突出しない非作動引き出し位置に向かってピン６８を押圧する。作動レバー８４の回転によって斜傾本体７８がその第二作動位置に移動した時、ブローチスプリング９０はピン６８がチャンネル６４中に突出する固定位置に固定ピン６８を弾性的に押圧し（図８）、および対応する固定部材５４または５６を妨害する。椅子には、それぞれ固定部材５４および５６と関連する制御デバイス７０’、７０”の一方または他方の独立制御用に、一つは右手側に、一つは左手側に位置された二つの作動レバーが設けられている。
【００１５】
図６および７を参照して、固定部材５４は、基礎構造１４に対して取付けられている二つの終端部材１０２、１０４と共に作用する。図６は、固定ピン６８’が非作動位置にある時、休止状態（すなわち誰も椅子に座っていない時）の椅子に採用される位置を図示している。トーションスプリング３２は常時シート支持構造１８を矢印１０６によって示される方向に押圧する。トーションバー３２の予荷重は停止部材５４を終端部材１０２に対して衝合状態に保持する。停止部材５４が終端部材１０２と衝合している状態は、シートおよび背もたれの前方傾斜位置を規定する。この位置は、特にキーボード作業を行い易くする人間工学的位置を提供するように設計されている。使用者がその全体重を後方に置いた時、停止部材５４は軸２４の周囲を回転し、終端部材１０４と衝合するに至る。この位置は、シートおよび背もたれの最大後方傾斜の状態を規定する。図７は、固定ピン６８’が作動位置にある状態を図示する。理解されるように、固定ピン６８’は、停止部材５４および動程終端部材１０２間の衝合によって規定される前方傾斜位置に対して置き換えられる停止部材５４用の動程終端位置を規定する。図７の位置において、椅子は正規着座位置にある。図６に示された作動状態ではシートおよび背もたれは前方傾斜位置と最大後方傾斜位置間で自由に斜傾し、一方図７の状態ではシートおよび背もたれは正規着座位置と最大後方傾斜位置間で斜傾できる。使用者は例えば椅子の左手側に位置された作動レバー８４を回転することにより、一方の作動位置から他方へその二つの制限位置間で移行できる。
【００１６】
シートおよび背もたれが対応する軸２２、２４の周囲に自由に斜傾できるように、固定ピン６８”（停止部材５６と関連したもの）は非作動位置にいなければならない。例えば椅子の右手側に位置する作動レバーにより、使用者はシートおよび背もたれが自由に斜傾する作動状態、およびシートおよび背もたれが所定位置に固定される作動状態を設定できる。固定ピン６８”が作動位置にある時、それは停止部材５６に向かって弾性的に押圧される。固定ピン６８は孔６０の経路に位置されている。従ってもしシートおよび背もたれが、固定ピン６８”がその作動位置に置かれた時、孔６０の一つがその固定ピン６８”と正確に整列するような位置にあるならば、それは孔と係合し、およびシートおよび背もたれをその位置に固定して保持する。代わりに、もし、固定ピン６８”がその作動位置に置かれた時、孔６０が一つもピン６８”と配列しなければ、ピン６８”は弾性的に停止部材５６に向かって押圧する。シートおよび背もたれの前方または後方への斜傾の結果により孔６０の一つがピン６８”と配列すると直ちに、ピン６８は対応スプリングからの推力の結果としてその孔と係合する。図４および５は、二つの可能な固定位置を図示する。固定位置の数は停止部材５６に設けられた孔の数に等しい。図４の構成において、シートおよび背もたれは正規前方傾斜の位置に近い位置で固定されており、一方図５の位置ではシートおよび背もたれは最大後方傾斜位置に固定されている。
【００１７】
図１３、１４および１５は本発明による椅子の色々な作動位置を図示する。図１３の状態において、固定ピン６８’は作動位置にあり、および固定ピン６８”は非作動位置にある。この状態でシートおよび背もたれは正規着座位置と最大後方傾斜位置間で自由に斜傾できる。
【００１８】
図１４の状態において、固定ピン６８”は作動位置にあり、一方固定ピン６８’は非作動位置にある。この場合、シートおよび背もたれは可能な色々の固定位置の一つに固定される。最後に図１５に図示された状態で両方のピン６８’および６８”は非作動位置にある。この状態において、シートおよび背もたれは前方傾斜位置と最大後方傾斜位置間で自由に斜傾できる。
【図面の簡単な説明】
【図１】  本発明による椅子の概略の側面図である。
【図２】  本発明による椅子のシートおよび背もたれを斜傾する機構の斜視図である。
【図３】  図１の矢印IIIで示される部分の拡大側面図である。
【図４】  図２の線IV−IVに沿った断面である。
【図５】  図２の線IV−IVに沿った断面である。
【図６】  図２の線IV−IVに沿った断面である。
【図７】  図２の線IV−IVに沿った断面である。
【図８】  図２の機構部分の分解斜視図である。
【図９】  図７の線IX−IXに沿った断面である。
【図１０】  図８の矢印Ｘで示される部分の部分的断面での拡大された斜視図である。
【図１１】  図１０の線ＸＩ−ＸＩに沿った断面である。
【図１２】  図１０の線ＸII−ＸIIに沿った断面である。
【図１３】  図２の線ＸIII−ＸIIIに沿った断面である。
【図１４】  図２の線ＸIII−ＸIIIに沿った断面である。
【図１５】  図２の線ＸIII−ＸIIIに沿った断面である。
【符号の説明】
１２  シート
１４  基礎構造
１６  背もたれ
１８  シート支持構造
２０  背もたれ支持構造
２２，２４  軸
３２  トーションバー（弾性的手段）
３４  フレーム
３８  縦セクション
５４，５６  停止部材
６０  孔
６８，６８’，６８”  固定ピン（固定部材）
９０  スプリング（弾性的手段）
【図１】
0004113655.tif 000002
【図２】
0004113655.tif 000003
【図３】
0004113655.tif 000004
【図４】
0004113655.tif 000005
【図５】
0004113655.tif 000006
【図６】
0004113655.tif 000007
【図７】
0004113655.tif 000008
【図８】
0004113655.tif 000009
【図９】
0004113655.tif 000010
【図１０】
0004113655.tif 000011
【図１１】
0004113655.tif 000012
【図１２】
0004113655.tif 000013
【図１３】
0004113655.tif 000014
【図１４】
0004113655.tif 000015
【図１５】
0004113655.tif 000016